(57)【要約】【課題】建築用シャッターの設置現場において、巻き取りドラムを躯体側の支持部材に支持せしめる作業を行う場合に、作業の効率化、作業員の削減化を図る。【解決手段】巻き取りドラム２にシャッターカーテン１を巻装したドラムユニットＵを形成し、該ドラムユニットＵを、左右に距離を隔てた２本の平行状の吊持体１４で吊り下げるアタッチメント１３を備えたフォークリフト１２で吊り下げ、該アタッチメント１３を上昇させることでドラムユニットＵを上昇させて躯体側の支持部材４に支持せしめるようにした。【選択図】図７
2020165199.tif 000002
【特許請求の範囲】
【請求項１】
シャッターカーテンが巻装される巻き取りドラムを、開口部上方の躯体に固定される左右の支持部材に支持せしめるにあたり、巻き取りドラムにシャッターカーテンを巻装したドラムユニットを形成し、該ドラムユニットを、左右に距離を隔てた少なくとも２点から垂下した吊持体で吊り下げるアタッチメントを備えたフォークリフトで吊り下げ、該アタッチメントを上昇させることでドラムユニットを前記吊り下げ状態で上昇させて支持部材に支持せしめるようにしたことを特徴とする建築用シャッター装置の取り付け方法。
【請求項２】
アタッチメントは、フォークリフトのマストに上下動自在に支持されるリフトブラケットに取り付け固定されるベース部と、該ベース部の左右中心部上方から左右方向に延びる支持アームとを備え、該支持アームの左右両端部にはドラムユニットを吊り下げる吊持体が係止するフック部が形成されていることを特徴とする請求項１に記載の建築用シャッター装置の取り付け方法。
【請求項３】
巻き取りドラムは、シャッターカーテンが巻装される巻き胴と、該巻き胴と一体回転し、巻き胴の左右両端から外方に突出する回転軸とを備え、該回転軸が回転自在に組み付けられる軸受部を有した左右のブラケットを介して左右の支持部材に支持される構成であるとともに、フォークリフトで吊り下げられて上昇したドラムユニットを支持部材に支持せしめるにあたり、左右何れか一方の支持部材に予めブラケットを固定し、該ブラケットの軸受部に、ドラムユニットの巻き胴の左右何れか一方の端部から突出する回転軸を挿入して組み付けることを特徴とする請求項１または２に記載の建築用シャッター装置の取り付け方法。
【請求項４】
ドラムユニットの巻き胴の左右何れか他方の端部から突出する回転軸には、フォークリフトでドラムユニットを吊り下げる前の段階で予めブラケットを組み付け、該回転軸に組み付けられたブラケットを左右何れか他方の支持部材に固定せしめるようにしたことを特徴とする請求項３に記載の建築用シャッター装置の取り付け方法。
【請求項５】
巻き取りドラムは、該巻き取りドラムの左右両端部に組み付けられる左右のブラケットを介して支持部材に支持される構成であるとともに、フォークリフトで吊り下げられて上昇したドラムユニットを支持部材に支持せしめるにあたり、支持部材は、躯体側から突出し、ブラケットの取り付け高さを決める位置決め片を備える一方、ドラムユニットの巻取りドラムに少なくとも左右何れか片方のブラケットを予め組み付け、該ブラケットが前記位置決め片に載置されることでブラケットの位置決めを行うことを特徴とする請求項１乃至４に記載の建築用シャッター装置の取り付け方法。
【発明の詳細な説明】
【技術分野】
【０００１】
本発明は、建築物の開口部等に設けられる建築用シャッター装置の取り付け方法の技術分野に属するものである。
【背景技術】
【０００２】
一般に、この種建築用シャッター装置のなかには、広い開口に設けるもののように、シャッターカーテンの左右幅、上下幅ともに大型化した所謂重量シャッターがあり、このものでは、シャッターカーテンが重いことから、シャッターカーテンを巻装する巻き取りドラムや、該巻き取りドラムを回転駆動する開閉機等の部材装置も大型で重いものになる。このため、建築現場にこのような重量シャッターを設置する場合には、それぞれの部材を設置箇所に持ち上げる作業をクレーン等の吊り上げ手段を用いて行うことがある。しかるに、それぞれの部材を設置箇所に持ち上げる作業は、前記クレーン等の吊り上げ手段を用いたとしても長時間を要し、作業効率に劣るという問題がある。さらに、各部材をクレーンで吊持したときの吊持状態において、部材が例えば巻き取りドラムのように左右方向に長い長尺物であると、左右のバランスをとることが難しく部材が傾斜姿勢となってしまうことが懸念されるうえ、前後方向や左右方向に揺れてしまい、位置決め作業や固定作業が困難であるという問題もある。
この改善策として、躯体開口部の両側面に、巻き取りドラムを支持する支持部材を固定する一方、巻取りドラムにシャッターカーテンを巻装したドラムユニットを形成し、該ドラムユニットの中央部をフォークリフト（持ち上げ手段）で持ち上げるとともに、該持ち上げ部の左右外側部を吊り上げ状に姿勢調整する左右のチェーンブロック（調整手段）で姿勢調整しながら、ドラムユニットを上動させて支持部材に支持せしめるようにした技術が知られている（特許文献１参照）。このものは、巻き取りドラムとシャッターカーテンとをユニット化された状態にして、躯体への取り付け位置まで上動させることができて作業効率を向上させることができるとともに、フォークリフトと左右のチェーンブロックとにより、ドラムユニットを安定した姿勢でバランスよく上動させることができることになって、作業性の向上に貢献できる。
【先行技術文献】
【特許文献】
【０００３】
【特許文献１】特許第５０１５６３０号公報
【発明の概要】
【発明が解決しようとする課題】
【０００４】
しかしながら、前記特許文献１のものは、ドラムユニットを上動させるにあたり、ドラムユニットの中央部を持ち上げるフォークリフトに加えて、姿勢調整を行うための左右のチェーンブロックが必要であって、該チェーンブロックの用意や設置に手間がかかるうえ、ドラムユニットの上動に携わる作業員も、フォークリフトを運転する作業員と、左右のチェーンブロックをそれぞれ操作する作業員との少なくとも都合３名の作業員が必要であって、更なる作業効率の向上や作業員の削減が要望されており、ここに本発明の解決すべき課題がある。
【課題を解決するための手段】
【０００５】
本発明は、上記の如き実情に鑑みこれらの課題を解決することを目的として創作されたものであって、請求項１の発明は、シャッターカーテンが巻装される巻き取りドラムを、開口部上方の躯体に固定される左右の支持部材に支持せしめるにあたり、巻き取りドラムにシャッターカーテンを巻装したドラムユニットを形成し、該ドラムユニットを、左右に距離を隔てた少なくとも２点から垂下した吊持体で吊り下げるアタッチメントを備えたフォークリフトで吊り下げ、該アタッチメントを上昇させることでドラムユニットを前記吊り下げ状態で上昇させて支持部材に支持せしめるようにしたことを特徴とする建築用シャッター装置の取り付け方法である。
請求項２の発明は、アタッチメントは、フォークリフトのマストに上下動自在に支持されるリフトブラケットに取り付け固定されるベース部と、該ベース部の左右中心部上方から左右方向に延びる支持アームとを備え、該支持アームの左右両端部にはドラムユニットを吊り下げる吊持体が係止するフック部が形成されていることを特徴とする請求項１に記載の建築用シャッター装置の取り付け方法である。
請求項３の発明は、巻き取りドラムは、シャッターカーテンが巻装される巻き胴と、該巻き胴と一体回転し、巻き胴の左右両端から外方に突出する回転軸とを備え、該回転軸が回転自在に組み付けられる軸受部を有した左右のブラケットを介して左右の支持部材に支持される構成であるとともに、フォークリフトで吊り下げられて上昇したドラムユニットを支持部材に支持せしめるにあたり、左右何れか一方の支持部材に予めブラケットを固定し、該ブラケットの軸受部に、ドラムユニットの巻き胴の左右何れか一方の端部から突出する回転軸を挿入して組み付けることを特徴とする請求項１または２に記載の建築用シャッター装置の取り付け方法である。
請求項４の発明は、ドラムユニットの巻き胴の左右何れか他方の端部から突出する回転軸には、フォークリフトでドラムユニットを吊り下げる前の段階で予めブラケットを組み付け、該回転軸に組み付けられたブラケットを左右何れか他方の支持部材に固定せしめるようにしたことを特徴とする請求項３に記載の建築用シャッター装置の取り付け方法である。
請求項５の発明は、巻き取りドラムは、該巻き取りドラムの左右両端部に組み付けられる左右のブラケットを介して支持部材に支持される構成であるとともに、フォークリフトで吊り下げられて上昇したドラムユニットを支持部材に支持せしめるにあたり、支持部材は、躯体側から突出し、ブラケットの取り付け高さを決める位置決め片を備える一方、ドラムユニットの巻取りドラムに少なくとも左右何れか片方のブラケットを予め組み付け、該ブラケットが前記位置決め片に載置されることでブラケットの位置決めを行うことを特徴とする請求項１乃至４に記載の建築用シャッター装置の取り付け方法である。
【発明の効果】
【０００６】
請求項１の発明とすることにより、ドラムユニットの上昇作業や位置決め作業、取り付け作業を効率よく行うことができるとともに、作業員の削減を達成できる。
請求項２の発明とすることにより、フォークリフトのアタッチメントによって、ドラムユニットを安定した状態で水平姿勢に保持しながら吊り下げることができる。
請求項３の発明とすることにより、ドラムユニットの左右何れか一端側を支持部材に容易かつ位置精度よく支持せしめることができる。
請求項４の発明とすることにより、他方のブラケットを高所でドラムユニットに組み付ける作業が不要となる。
請求項５の発明とすることにより、ブラケット３の取り付け高さを精度良く位置決めした状態で支持部材に支持せしめることができる。
【図面の簡単な説明】
【０００７】
【図１】重量シャッターの概略正面図である。
【図２】重量シャッターの開口部側からの概略側面図である。
【図３】ブラケットの取り付け状態を示す図である。
【図４】アタッチメントを示す図であって、（Ａ）は平面図、（Ｂ）は正面図、（Ｃ）は側面図である。
【図５】移送用台車に載置されたドラムユニットをアタッチメントで吊り下げる状態を示す斜視図である。
【図６】フォークリフトでドラムユニットを上昇させた状態を示す側面図である。
【図７】フォークリフトによるドラムユニットの上昇作業を示す図である。
【図８】ドラムユニットの躯体側への取り付け作業を示す図である。
【図９】第二の実施の形態におけるブラケットの取り付け状態を示す図である。
【発明を実施するための形態】
【０００８】
以下、本発明の実施の形態について、図面に基づいて説明する。
図面において、１は建築物の開口部に建付けられる重量シャッターのシャッターカーテンであって、該シャッターカーテン１は、左右方向長尺状のスラット１ａを上下方向に複数連装して構成されている。前記シャッターカーテン１は巻き取りドラム２に巻装されており、該巻き取りドラム２は、左右のブラケット３に回転自在に支持されているとともに、該左右のブラケット３は、開口部上方の左右の躯体側面（柱の側面等）に固定される左右の支持部材４にそれぞれ取り付け固定されている。そして、シャッターカーテン１は、巻き取りドラム２に連動連結される開閉機５の正逆駆動に基づいて巻き取りドラム２が正逆回転することにより該巻き取りドラム２から巻き出し、巻き取りされ、これによりシャッターカーテン１の左右両側部が開口部左右両側部の躯体側に配された左右一対のガイドレール６に移動案内される状態で上下昇降動して、開口部の開閉をするように構成されており、これらの基本構成は従来通りとなっている。
【０００９】
ここで、前記巻き取りドラム２は、開閉機５に連動連結される回転軸２ａと、該回転軸２ａに外嵌されて回転軸２ａと一体回動する巻き胴２ｂとを備えて構成されているとともに、回転軸２ａは、巻き胴２ｂの左右両端から外方に向けて突出するように設けられている。
【００１０】
また、前記左右のブラケット３は、それぞれ矩形状のプレート部３ａの上下縁部に躯体側面側に向けて突出する上下係止片３ｂ、３ｃが一体形成されており、プレート部３ａの中央部に、軸受ユニット（本発明の軸受部に相当する）３ｄが設けられている。該軸受ユニット３ｄは、巻き取りドラム２の回転軸２ａが挿入されることにより、該回転軸２ａを回転自在に軸承するように構成されている。さらに、左右何れか片方のブラケット（本実施の形態では、図１、図７、図８において右側のブラケット）３には、軸受ユニット３ｄに挿入された回転軸２ａの先端側に連結されて該回転軸２ａと一体回動する従動スプロケット３ｅが設けられるようになっている。さらに、前記片方のブラケット３には、開閉機５が組み込まれた支持プレート５ａが固定されるとともに、該開閉機５の出力軸に連結される駆動スプロケット５ｂと前記従動スプロケット３ｅとは、伝動チェーン５ｃを介して連動連結されるようになっている。尚、本実施の形態において、図３に示すブラケット３は、従動スプロケット３ｅが配設される片方のブラケット（右側のブラケット）であるが、図３においては、開閉機５、駆動スプロケット５ｂ、伝動チェーン５ｃは省略してある。
【００１１】
一方、躯体側面に固定される左右の支持部材４は、上下のアングル材４Ａ、４Ｂを用いて構成されている。各アングル材４Ａ、４Ｂは、Ｌ字形に折曲形成された固定片４ａと支持片４ｂとからなる金属材で構成されており、固定片４ａをアンカーボルト８で躯体側面に固定することにより、アングル材４Ａ、４Ｂの支持片４ｂが躯体側面から内側（開口部側）に向けて突出するようになっている。
【００１２】
そして、左右のブラケット３の支持部材４への取り付け固定は、上下のアングル材４Ａ、４Ｂの支持片４ｂとブラケット３の上下係止片３ｂ、３ｃとを溶着等の固定手段を用いて固定することによりなされるが、この場合、まず、下側のアングル材４Ｂの固定片４ａをアンカーボルト８で躯体側面の所定位置に固定する。そして、該躯体側面に固定された下側のアングル材４Ｂの支持片４ｂにブラケット３の下側係止片３ｃを載置することにより、ブラケット３の取り付け高さ位置の位置決めが行われる。この状態で、ブラケット３の下側係止片３ｃと下側のアングル材４Ｂの支持片４ｂとを溶着等により固定し、次いで、ブラケット３の上側係止片３ｂに上側のアングル材４Ａの支持片４ｂを当接させて溶接等により固定する。しかる後、上側のアングル材４Ａの固定片４ａをアンカーボルト８で躯体側面に固定することにより、ブラケット３の支持部材４への取り付け固定がなされるようになっている。
【００１３】
さて、重量シャッターを建造物の開口部に設置する場合、重量シャッターは、予め工場において、シャッターカーテン１を巻き取りドラム２に巻装し、固定ベルト１ｂにより巻装状態に保持したドラムユニットＵとして用意され、該ドラムユニットＵが、ガイドレール６等の他の必要な部材とともに車両等に載置されて、工場から設置現場の荷降ろし場所に搬入されるようになっている。
【００１４】
一方、重量シャッターが取り付けられる開口部上方の互いに対向する左右の躯体側面のうちの何れか一方の躯体側面（本実施の形態では、図１、図７、図８において左側の躯体側面）の所定位置には、上下アングル材４Ａ、４Ｂおよび前述したようにして上下のアングル材４Ａ、４Ｂに取り付けたブラケット（図１、図７、図８において左側のブラケット）３を予め固定しておく。また、他方の躯体側面（本実施の形態では、図１，７、８において右側の躯体側面）には、下側のアングル材４Ｂだけを予め固定しておく。尚、本実施の形態の以下の説明において、前記予め躯体側面に上下アングル４Ａ、４Ｂとブラケット３とが固定される側を左右何れか一方、あるいは左側とし、下側アングル材４Ｂのみが固定される側を他方、あるいは右側とする。
【００１５】
前記荷降ろし場所に搬入されたドラムユニットＵは、両端部がキャスター付きの移送用台車１０（図５参照）にそれぞれ載置される状態で荷降ろしされる。尚、１１はシャッターカーテン１の巻形状に合わせた円弧状の支持部を備えた落下防止台であって、該落下防止台１１は、予め移送用台車１０上に固定部材１１ａを介してセットされている。そして、ドラムユニットＵは、落下防止台１１によって安定した状態で移送用台車１０に載せられることにより、落下防止がなされた状態で、しかも、円滑な移動が行えるよう構成されている。
【００１６】
さらに、ドラムユニットＵは、前記移送用台車１０に載置された状態で、左右何れか他方のブラケット（右側のブラケット）３が組み込まれる。該右側のブラケット３のドラムユニットＵへの組み込みは、巻き胴２ｂの右端部から突出する回転軸２ａに、右側のブラケット３の軸受ユニット３ｄを挿入することによりなされるが、右側ブラケット３には、前述したように、従動スプロケット３ｅが配設されるとともに、回転軸２ａに連動連結される開閉機５が組み込まれた支持プレート５ａが固定されるようになっており、而して、ドラムユニットＵに右側ブラケット３を組み込むことによって、開閉機５および該開閉機５と回転軸２ａとの間の動力伝動機構（従動スプロケット３ｅや駆動スプロケット５ｂ、伝動チェーン５ｃ等）もドラムユニットＵに組み込まれるように構成されている。
【００１７】
つぎに、本発明が実施されたドラムユニットＵの躯体への取り付け方法を説明する。
まず、ドラムユニットＵを、前記移送用台車１０に載せた状態でシャッターカーテン１の設置現場となる開口部の下方に移送する。そして、フォークリフト１２のアタッチメント１３によってドラムユニットＵを吊り下げ、該ドラムユニットＵを吊り下げた状態のアタッチメント１３を上昇させることで、ドラムユニットＵを、該ドラムユニットＵの左側端部が前記予め躯体側面に固定された左側ブラケット３に対向する高さ位置まで上昇させる。
【００１８】
ここで、前記フォークリフト１２は、上下方向に伸縮自在な複数段（本実施の形態では２段）のマスト１２ａを備えたものであって、最上段となるマスト１２ａには、前記アタッチメント１３が取り付けられるリフトブラケット１２ｂが上下方向および左右方向移動自在に支持されている。また、アタッチメント１３は、フォークリフト１２のリフトブラケット１２ｂに取り付け固定される固定部１３ａを有したベース部１３ｂと、該ベース部１３ｂの左右中心部から上方に延びる支柱部１３ｃと、該支柱部１３ｃの上端部から斜め前方に延びるアーム取り付け部１３ｄと、該アーム取り付け部１３ｄの上端部に設けられて左右方向に延びる支持アーム１３ｅとを備えて構成されており、該支持アーム１３ｅの左右両端部には、ドラムユニットＵを吊り下げる帯状の左右の吊持体１４がそれぞれ係止する左右のフック部１３ｆが形成されている。このものにおいて、前記支持アーム１３ｅの左右長さは少なくともフォークリフト１２の車幅よりも長く設定されていて、該支持アーム１３ｅの左右両端部に形成される左右のフック部１３ｆは、後述するように左右の吊持体１４によりドラムユニットＵを吊り下げたときに安定状態で吊り下げることができるよう左右方向に十分な距離を隔てた状態となるように構成されている。
【００１９】
そして、前記移送用台車１０に載せた状態のドラムユニットＵをフォークリフト１２のアタッチメント１３によって吊り下げる場合には、アタッチメント１３の左右のフック部１３ｆから垂下する左右２本の帯状の吊持体１４をそれぞれドラムユニットＵに掛け回してアタッチメント１３を上昇させることにより、ドラムユニットＵはアタッチメント１３に吊り下げられた状態となる（図５参照）。この場合に、吊り下げられたドラムユニットＵが安定した水平姿勢を保持できるように左右２本の吊持体１４を平行状に自然垂下させてドラムユニットＵに装着する。これによりドラムユニットＵは、図７の正面視したときに、左右方向に十分な距離を隔てた２本の平行状の吊持体１４によって、上下方向や前後左右方向にブレない安定した状態で水平姿勢に保持されながら吊り下げられるようになっている。尚、本実施の形態では、前記吊持体１４は、ナイロン製の布地で形成されている。
【００２０】
次いで、前記ドラムユニットＵを吊り下げたアタッチメント１３を上昇させて、ドラムユニットＵを、回転軸２ａの左側端部が前記予め左側躯体側面に支持部材４（上下のアングル材４Ａ、４Ｂ）を介して固定された左側ブラケット３に対向する所定の高さ位置まで上昇させる。このドラムユニットＵの上昇は、前述したように、左右方向に十分な距離を隔てた２本の平行状の吊持体１４によって吊り下げられることで、上下左右および前後方向にブレない安定した状態で水平姿勢に保持されながら行われることになる。これにより、フォークリフト１２を操作する作業員一人だけで、ドラムユニットＵを上昇させる作業を、容易かつ効率よく行えるように構成されている。
【００２１】
次いで、前記ドラムユニットＵを所定の高さ位置まで上昇させた状態で、予め支持部材４に固定された左側ブラケット３の軸受ユニット３ｄに、ドラムユニットＵの回転軸２ａの左端部を挿入して組み付ける。この場合、ドラムユニットＵは吊り下げられた状態であるため、作業員がドラムユニットＵを左右方向に押すだけでドラムユニットＵは簡単に左右方向に移動し、而して、ドラムユニットＵを左右方向に押して回転軸２ａを軸受ユニット３ｄに挿入する作業を、小さな力で容易に行うことができる。
【００２２】
一方、右側躯体側面には、前述したように、下側アングル材４Ｂのみが予め固定されているが、該下側アングル４Ｂの支持片４ｂに、前記所定の高さ位置まで上昇させたドラムユニットＵに予め組み込まれた右側ブラケット３の下側係止片３ｃを載置する。これにより、右側ブラケット３の取り付け高さの位置決めがなされ、この状態で、前述した手順、つまり、下側アングル材４Ｂの支持片４ｂに右側ブラケット３の下側係止片３ｃを溶着等により固定し、次いで、右側ブラケット３の上側係止片３ｂに上側のアングル材４Ａの支持片４ｂを当接させて溶接等により固定し、しかる後、上側のアングル材４Ａの固定片４ａをアンカーボルト８で躯体側面に固定することにより、ドラムユニットＵに予め組み込まれた右側ブラケット３の上下のアングル材４Ａ、４Ｂに対する取り付け固定がなされ、これにより、ドラムユニットＵの躯体側への取り付け作業が完了する。尚、本実施の形態において、右側躯体側面に予め固定される下側アングル材４Ｂは、本発明の位置決め片に相当する。
また、１７は前述した回転軸２ａの挿入作業や右側ブラケット３の固定作業等を行うための作業員が搭乗する上下移動自在なバケットであって、該バケット１７には複数の作業員が搭乗することも可能であり、ドラムユニットＵの上動位置にあわせて適宜上下動操作することができる。
【００２３】
そして、このようにしてドラムユニットＵを取り付けた後は、シャッターカーテン１の下端部に座板１ｃを連結し、さらに、開口部の左右両側面にガイドレール６を立設する、開口部の上部にまぐさ１６を固定する等、必要な部材の組み込みを行い、さらには、電気的な配線等、必要な作業が順次なされて、重量シャッターの設置作業が完了するように構成されている。
【００２４】
叙述の如く構成された本形態において、重量シャッターを設置するにあたり、巻き取りドラム２は、開口部上方の躯体に固定される左右の支持部材４（上下のアングル材４Ａ、４Ｂ）に支持されることになるが、この場合に、巻き取りドラム２にシャッターカーテン１を巻装したドラムユニットＵを予め形成し、該ドラムユニットＵを、左右に距離を隔てた２本の平行状の吊持体１４で吊り下げるアタッチメント１３を備えたフォークリフト１２で吊り下げ、該アタッチメント１３を上昇させることでドラムユニットＵを前記吊り下げ状態で上昇させて、支持部材４に支持せしめることになる。
【００２５】
このように、本実施の形態においては、巻き取りドラム２とシャッターカーテン１とを予めドラムユニットＵとしてユニット化された状態にして、支持部材４への支持位置まで上昇させて支持部材４に支持せしめる構成であり、これにより作業効率の向上を図れるものであるが、さらにこのものでは、ドラムユニットＵを上昇させる場合に、該ドラムユニットＵを、左右に距離を隔てた２本の平行状の吊持体１４で吊り下げるアタッチメント１３を備えたフォークリフト１２で吊り下げる構成としたので、ドラムユニットＵが左右方向に長尺なものであっても、上下方向や前後左右方向にブレない安定した状態で水平姿勢に保持しながら吊り下げることができて、ドラムユニットＵの上昇作業や位置決め作業、取り付け作業を効率よく行うことができる。しかも、ドラムユニットＵを上昇させる作業を、フォークリフト１２を操作する作業員一人だけでできることになって、作業員の削減を達成できる。
【００２６】
そして、前記ドラムユニットＵを上昇させる作業は、フォークリフト１２という汎用性の高い作業車を用いて行えることになるが、該フォークリフト１２にドラムユニットＵを吊り下げるために装着されるアタッチメント１３は、フォークリフト１２のマスト１２ａに上下動自在に支持されるリフトブラケット１２ｂに取り付け固定されるベース部１３ｂと、該ベース部１３ｂの左右中心部上方から左右方向に延びる支持アーム１３ｅとを備えており、該支持アーム１３ｅの左右両端部に、ドラムユニットＵを吊り下げる吊持体１４を係止する左右のフック部１３ｆが形成されている。このように構成されたアタッチメント１３は、吊持体１４を係止する左右のフック部１３ｅが左右に距離を隔てた状態で設けられており、該左右のフック部１３ｆに係止させた２本の平行状の吊持体１４でドラムユニットＵを吊り下げることで、ドラムユニットＵを、上下方向や前後左右方向にブレない安定した状態で水平姿勢に保持しながら吊り下げることができる。
【００２７】
また、前記巻き取りドラム２は、シャッターカーテン１が巻装される巻き胴２ｂと、該巻き胴２ｂと一体回転し、巻き胴２ｂの左右両端から外方に突出する回転軸２ａとを備えており、該回転軸２ａが回転自在に組み付けられる軸受ユニット３ｄを有した左右のブラケット３を介して左右の支持部材４に支持される構成であるが、このものにおいて、前記フォークリフト１２で吊り下げられて上昇したドラムユニットＵを支持部材４に支持せしめる場合、左右何れか一方の支持部材（本実施の形態では左側の支持部材）４に予めブラケット３を固定し、該ブラケット３の軸受ユニット３ｄに、ドラムユニットＵの巻き胴２ｂの左右何れか一方の端部（本実施の形態では、巻き胴２ｂの左端部）から突出する回転軸２ａを挿入して組み付けることになる。このように、左右何れか一方の支持部材４に予めブラケット３を固定しておき、該ブラケット３の軸受ユニット３ｄにドラムユニットＵの回転軸２ａを挿入することで、ドラムユニットＵの左右何れか一端側を支持部材４に簡単かつ位置精度よく支持せしめることができることになるが、この場合に、ドラムユニットＵはフォークリフト１２のアタッチメント１３で吊り下げられた状態であるため、作業員がドラムユニットＵを左右方向に押して回転軸２ａを軸受ユニット３ｄに挿入する作業を、小さな力で容易に行うことができる。
【００２８】
さらにこのものでは、ドラムユニットＵの巻き胴２ｂの左右何れか他方の端部（本実施の形態では、巻き胴２ｂの右端部）から突出する回転軸２ａには、フォークリフト１２でドラムユニットＵを吊り下げる前の段階で予めブラケット（本実施の形態では、右側のブラケット）３を組み付け、該回転軸２ａに組み付けられたブラケット３を左右何れか他方の支持部材（本実施の形態では、右側の支持部材）４に固定することで、ドラムユニットＵの左右何れか他端側を支持部材４に支持せしめることができることになるが、この場合に、左右何れか他方のブラケット３は予めドラムユニットＵに組み付けられているため、該他方のブラケット３のドラムユニットＵに対する高所での組み付け作業が不要となる。しかも、本実施の形態では、前記ドラムユニットＵに予め組み込まれる他方のブラケット３に、開閉機５や該開閉機５と回転軸２ａを連動連結する動力伝動機構（従動スプロケット３ｅや駆動スプロケット５ｂ、伝動チェーン５ｃ等）も組み込まれるようになっていて、これら開閉機５や動力伝動機構も、フォークリフト１２で吊り下げる前の段階で予め他方のブラケット３に組み込まれる構成であるから、高所での開閉機５や動力伝動機構の組み込み作業も不要となり、さらなる作業効率の向上を達成できる。
【００２９】
尚、本発明は上記実施の形態に限定されないことは勿論であって、例えば、上記実施の形態では、フォークリフト１２でドラムユニットＵを吊り下げる前の段階で、左右何れか一方のブラケット３をドラムユニットＵに組み付けておく構成であるが、左右両方のブラケット３をドラムユニットＵに予め組み付けておく構成とすることもできる。
また、上記実施の形態では、支持部材４は、開口部上方の互いに対向する躯体側面にアンカーボルト８により固定される上下のアングル材４Ａ、４Ｂを用いて構成されているが、このような互いに対向する躯体側面がないような設置箇所では、図９に示す第二の実施の形態の如く、躯体側に予め鉄板等からなる支持部材（下地プレート）１８を溶接等により固定しておき、該支持部材１８に、ブラケット３に一体的に設けられた固定プレート３ｆを溶着等により固定することで、ブラケット３を躯体側に固定される支持部材１８に支持せしめる構成とすることができるが、このものでは、支持部材１８に、躯体側から突出し、ブラケット３の取り付け高さを決める位置決め片１８ａが予め溶着等により固定されている。そして、この第二の実施の形態のものにおいても、ドラムユニットＵをフォークリフト１２のアタッチメント１３で吊り下げ、該吊り下げられて上昇したドラムユニットＵを支持部材１８に支持せしめることになるが、この場合に、ドラムユニットＵの巻取りドラム２に少なくとも左右何れか片方のブラケット３を予め組み付け、該ブラケット３を前記位置決め片１８ａに載置することでブラケット３の位置決めを行い、該位置決めされた状態のブラケット３の固定プレート３ｆを溶着等により支持部材１８に固定することで、ブラケット３を精度良く位置決めされた状態で支持部材に支持せしめることができるように構成されている。尚、第二の実施の形態においても、予めドラムユニットＵに組み付けられたブラケット３に、開閉機や該開閉機と回転軸２ａとの間の動力伝動機構（従動スプロケット３ｅ等）も予め組み込んでおく構成となっているが、図９においては、従動スプロケット３ｅ以外の動力伝動機構は省略してある。
【００３０】
また前記実施の形態では、吊持体１４は、ドラムユニットＵを正面視したときに、左右に距離を隔てた２本の平行状の吊持体１４を用いて吊下げる構成にしたが、これに限定されないものであることは勿論であって、左右に距離（間隙）を隔てた少なくとも２点から垂下する吊持体を用いて吊り下げるものであればよく、例えば左右に距離を隔てた２点から垂下するものである場合に、前記実施の形態のように必ずしも平行状である必要はなく、吊り下げ起点である左右に距離を隔てた２点に対して、下側（ドラムユニット側）が拡開した傾斜状態、逆に上側（吊り下げ２点（起点）側）が拡開した傾斜状態で吊り下げたものとすることもでき、さらには、吊り下げ点として３点以上の複数点とすることもできる。またこのような吊り下げをする場合に、左右対称状に吊り下げる構成にすることが、より安定した吊り下げ姿勢になって好ましいと言える。
【産業上の利用可能性】
【００３１】
本発明は、建築物の開口部等に重量シャッター等の建築用シャッター装置を取り付ける場合に利用することができる。
【符号の説明】
【００３２】
１  シャッターカーテン
２  巻き取りドラム
２ａ  回転軸
２ｂ  巻き胴
３    ブラケット
３ｄ  軸受ユニット
４  支持部材
１２  フォークリフト
１２ａ  マスト
１２ｂ  リフトブラケット
１３  アタッチメント
１３ｂ  ベース部
１３ｅ  支持アーム
１３ｆ  フック部
１８  支持部材
【図１】
2020165199.tif 000003
【図２】
2020165199.tif 000004
【図３】
2020165199.tif 000005
【図４】
2020165199.tif 000006
【図５】
2020165199.tif 000007
【図６】
2020165199.tif 000008
【図７】
2020165199.tif 000009
【図８】
2020165199.tif 000010
【図９】
2020165199.tif 000011